(57)【要約】【課題】  熱陰極蛍光灯光源に代替して室内やショーケース等に使用可能な照明用バー光源を提供する。【解決手段】  アクリル透明樹脂製中実太軸のバー光源１の端部に端部キャップ５を配置するとともに該端部キャップ５にアルミ押出材による放熱部材６を介設し，該放熱部材６の基板６１に多数のパワーＬＥＤチップ７をバー光源１の入射端面に臨設するように配置する一方，バー光源１の導光面１１及び側面に反射板２を，出光面に光拡散板３を配置し且つ出光面以外にバー光源１の反りと汚れ防止用のカバー４を配置してバー光源Ａを形成する。高輝度が得られるとともに耐久性に富んだ各種照明に好適なバー光源とすることができる。【選択図】    図２
2007109504.tif 000002
【特許請求の範囲】
【請求項１】
中実太軸にして長手方向に連続するように導光面を備えた透明樹脂製の導光バーと，該導光バーの長手方向両端に配置した端部キャップと，該端部キャップ内に嵌合配置した導光バー長手方向一端又は両端の放熱部材と，該放熱部材に配置した上記導光バーの入射端面に向けて入射光を供給する多数のパワーＬＥＤとを備えることによって熱陰極蛍光灯光源の代替用としてなることを特徴とする照明用バー光源。
【請求項２】
上記パワーＬＥＤを，放熱部材の入射端面と対向する対向面に多数均等配置したチップによるものとしてなることを特徴とする請求項に記載の照明用バー光源。
【請求項３】
上記導光バーを，その辺を１．５ｃｍ以上とする矩形断面とし又は径を１．５ｃｍ以上とする円形断面にして長さを１〜３ｍ程度としてなることを特徴とする請求項１又は２に記載の照明用バー光源。
【請求項４】
上記放熱部材を，垂直基板と，該垂直基板背面に基板交差方向に突設した放熱フィンとを備えて一体成形したアルミ押出材によって形成するとともに上記基板表面に上記チップＬＥＤを一体的に配置してなることを特徴とする請求項１，２又は３に記載の照明用バー光源。
【発明の詳細な説明】
【技術分野】
【０００１】
本発明は，例えば店舗や住宅の室内，店舗の冷蔵ショーケース等適宜な場所で，熱陰極蛍光灯光源に代替使用し得るようにした照明用バー光源に関する。
【背景技術】
【０００２】
この種照明用光源は，上記熱陰極蛍光灯が一般に使用されており，また，例えば液晶バックライトとして，例えば楔状のアクリル透明樹脂の裏面に密度変化のドット等を一体成形によって配置し又はスクリーン印刷によって配置することによって該裏面を導光面とし，楔状広幅の端面に冷陰極蛍光灯やＬＥＤランプを臨設して導光面によって入射光を導光するようにしたものが使用されている。
【０００３】
【特許文献１】特開平８−１８４７１４号公報
【発明の開示】
【発明が解決しようとする課題】
【０００４】
熱陰極蛍光灯は店舗や住宅の室内における照明に必要且つ充分な輝度を確保し得るが，発熱が大きいこと，寿命が然程長くないこと，紫外線を発すること等の問題点があり，発熱が大きいことは，例えば冷蔵ショーケースの食品に適当ではなく，紫外線を発することは，例えば店舗の商品に褪色を招いて同じく適当ではない。
【０００５】
また液晶バックライトは，パソコン，携帯電話等の画面を背面から面照明することによって，該面照明機器に必要な程度の輝度を確保し得るが，店舗や住宅の照明，冷蔵ショーケースの照明としては輝度不足が顕著となり，実用に供するものとはなし得ない。
【０００６】
本発明はかかる事情に鑑みてなされたもので，その解決課題とするところは，従前の熱陰極蛍光灯と同等程度以上の輝度を有し，該熱陰極蛍光灯に代替使用できるようにした照明用バー光源を提供するにある。
【課題を解決するための手段】
【０００７】
上記課題に沿って本発明は，例えばアクリルの如くに光透過性に優れた樹脂を用い，これに導光面を備えて太軸中実の導光バーとして，太軸中実とすることによって該導光バーに供給される入射光の導光バー内における反射回数を可及的に増加可能として輝度向上に適したものとするとともに入射端面を可及的に広面積とする一方，該広面積の入射端面に対して多数のパワーＬＥＤによって可及的に高輝度の入射光を供給するようにし，またパワーＬＥＤを使用することによって一般のＬＥＤより高い発熱が見られることから，該発熱を端部に配置した端部キャップ内に嵌合配置した放熱部材によって放熱することによってＬＥＤの損傷とこれによる耐久性の低下を防止して実用性を確保した照明用バー光源としたものであって，即ち請求項１に記載の発明を，中実太軸にして長手方向に連続するように導光面を備えた透明樹脂製の導光バーと，該導光バーの長手方向両端に配置した端部キャップと，該端部キャップ内に嵌合配置した導光バー長手方向一端又は両端の放熱部材と，該放熱部材に配置した上記導光バーの入射端面に向けて入射光を供給する多数のパワーＬＥＤとを備えることによって熱陰極蛍光灯光源の代替用としてなることを特徴とする照明用バー光源としたものである。
【０００８】
請求項２に記載の発明は，上記に加えて，上記パワーＬＥＤをチップによるものとすることによって入射端面に対して可及的に多数のチップを配置して入射光の光量を可及的に増大し得るものとするように，これを，上記パワーＬＥＤを，放熱部材の入射端面と対向する対向面に多数均等配置したチップによるものとしてなることを特徴とする請求項に記載の照明用バー光源としたものである。
【０００９】
請求項３に記載の発明は，同じく上記に加えて，上記中実太軸とした導光バーを，上記導光バー内の反射回数を増加してバー光源として好ましい断面形態のものとするように，これを，上記導光バーを，その辺を１．５ｃｍ以上とする矩形断面とし又は径を１．５ｃｍ以上とする円形断面にして長さを１〜３ｍ程度としてなることを特徴とする請求項１又は２に記載の照明用バー光源としたものである。
【００１０】
請求項４に記載の発明は，同じく上記に加えて，放熱部材の放熱効率を可及的高度に確保するとともに上記チップＬＥＤを導光バーの入射端面に向けて安定且つ確実に保持し得るものとするように，これを，上記放熱部材を，垂直基板と，該垂直基板背面に基板交差方向に突設した放熱フィンとを備えて一体成形したアルミ押出材によって形成するとともに上記基板表面に上記チップＬＥＤを一体的に配置してなることを特徴とする請求項１，２又は３に記載の照明用バー光源としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，光透過性に優れた樹脂を用い，これに導光面を備えて太軸中実の導光バーとして，太軸中実とすることによって該導光バーに供給される入射光の導光バー内における反射回数を可及的に増加可能として輝度向上に適したものとするとともに入射端面を可及的に広面積とする一方，該広面積の入射端面に対して多数のパワーＬＥＤによって可及的に高輝度の入射光を供給するようにし，またパワーＬＥＤを使用することによって一般のＬＥＤより高い発熱が見られることから，該発熱を端部に配置した端部キャップ内に嵌合配置した放熱部材によって放熱することによってＬＥＤの損傷とこれによる耐久性の低下を防止して実用性を確保し，従前の熱陰極蛍光灯と同等程度以上の輝度を有し，該熱陰極蛍光灯に代替使用できるようにした照明用バー光源を提供することができる。
【００１３】
請求項２に記載の発明は，上記に加えて，上記パワーＬＥＤをチップによるものとすることによって入射端面に対して可及的に多数のチップを配置して入射光の光量を可及的に増大したものとすることができる。
【００１４】
請求項３に記載の発明は，同じく上記に加えて，上記中実太軸とした導光バーを，上記導光バー内の反射回数を増加してバー光源として好ましい断面形態のものとすることができる。
【００１５】
請求項４に記載の発明は，同じく上記に加えて，放熱部材にインバーターを配置することによって端部キャップが拡大するのを可及的に抑制し，外観よくコンパクトな好ましい端部形態のものとすることができる。
【発明を実施するための最良の形態】
【００１６】
以下図面の例に従って本発明を更に具体的に説明すれば，Ａは照明用バー光源であり，該バー光源Ａは，導光バー１と，端部キャップ５と，放熱部材６と，パワーＬＥＤ７とを備えることによって熱陰極蛍光灯光源の代替用としたものとしてある。
【００１７】
導光バー１は，中実太軸にして長手方向に連続するように導光面１１を備えた透明樹脂製のものと，端部キャップ５は，該導光バー１の長手方向両端に配置し，放熱部材６は，該端部キャップ５内に嵌合配置した導光バー１長手方向一端又は両端のものとし，またパワーＬＥＤ７は，該放熱部材６に配置した上記導光バー１の入射端面に向けて入射光を供給する多数のものとしてある。
【００１８】
上記導光バー１は，例えばアクリル透明樹脂を用いて光透過性を可及的高度に確保した中実太軸のものとしてあり，本例にあって該アクリル透明樹脂とした導光バー１は，これを，その辺を１．５ｃｍ以上とする矩形断面とし又は径を１．５ｃｍ以上とする円形断面にして長さを１〜３ｍ程度としてあり，該導光バー１は，市販の最厚とされる１５ｍｍのアクリル透明樹脂板を，例えば１．５〜３ｃｍ程度幅に切断して１．５×１．５〜３ｃｍ程度の矩形断面とした板取りのバーとし又は押出成形によって同様に１．５×１．５〜３ｃｍ程度の矩形断面とするか，１．５ｃｍ以上の径の円形断面とした押出成形材のバーとしたものとしてある。図示した導光バー１は，例えば辺を１．５ｃｍと２ｃｍとし，長さを２ｍ程度とした矩形断面の板取りのものとしてある。
【００１９】
該導光バー１の導光面１１は，導光バー１の長手方向に帯状をなすように配置して入射光の導光を行うものとしてあり，図示した本例の導光面１１は，矩形断面の上面に，例えば入射端面側を粗とし入射端面から離隔するにつれて密とするように密度変化して導光バー１交差方向に向けて配置した引掻き傷を形成したものとしてあり，該引掻き傷は，例えば剣山乃至櫛状にして所定短寸幅の導光部形成具を使用し，該導光部形成具を導光バー１の交差方向に接触移動することによって導光バー１の上面に針先による引掻き傷を付するようにしてあり，このとき入射端面から離隔するにつれて引掻き傷の配置ピッチを小さくするように導光部形成具の接触移動をコントロールして上記粗密の密度変化を施すようにしたものとしてある。
【００２０】
このように導光面１１を形成配置した導光バー１のその余の面，本例にあって側面及び下面は，これを鏡面仕上げしたものとし入射光の導光に際して側面及び下面から入射光が導光バー１外に漏れるのを防止し，導光効率を可及的高度に維持し得るようにしてある。
【００２１】
端部キャップ５は，例えば塩ビ等の不透明樹脂やアルミを用いた，一端に導光バー１の受入口を開口した成形部材としてあり，該成形部材は，例えば射出成形によって導光バー１の断面形状に合せて個別に射出成形し又は導光バーの断面形状に合せて押出成形した長尺の押出材を所定長さに切断加工したものとしてある。
【００２２】
このとき該端部キャップ５は，必要に応じて他端を閉塞し，また側面等適宜な箇所に放熱孔５１を透設してあり，本例にあって該端部キャップ５は，他端をネジ固定した蓋部材５３によって閉塞し，該閉塞した他端に，例えばＬ字等のバー光源Ａ支持用の支持具５４を配置したものとしてあり，また該端部キャップ５の，例えば上面及び両側面に多数スリット状の放熱孔５１を透設したものとしてある。
【００２３】
本例にあって放熱部材６は，これを，垂直基板６１と，該垂直基板６１背面に基板交差方向に突設した放熱フィン６３とを備えて一体成形したアルミ押出材によって形成したものとしてあり，本例の放熱部材６は，アルミ押出材を成形する一方，これを所定長さに切断することによって上記導光バー１の断面形状と同じ外形を有する形態としてある。このとき本例の放熱部材６は，例えばＬＥＤ点灯のための図示省略の回路基板等を設置する基板スペース６４を配置してあり，該基板スペース６４は，これを放熱フィン６３を横断するように切欠くことによって形成した透孔によるものとしてある。また本例にあって該放熱部材６の垂直基板６１表面に後述のパワーＬＥＤ７設置のための水平溝６２を成形後の後加工によって配置したものとしてある。
【００２４】
パワーＬＥＤ７は，これを，放熱部材６の入射端面と対向する対向面に多数均等配置したＬＥＤチップによるものとし，このとき該ＬＥＤ７は，上記放熱部材６の基板６１表面に一体的に配置したものとしてある。即ちチップＬＥＤ７は表面実装型にして可及的に高輝度な，例えば白色４Ｗのものを多数使用し，これを絶縁ベース７１に埋込状に配置するとともに該絶縁ベース７１背面に，例えば銅の放熱板７２を配置した状態で，上記放熱部材６における基板６１の水平溝６２に，例えば薄肉の両面接着テープを介して接着することによってその一体的な配置を行ったものとしてある。
【００２５】
図中２は導光バー１の導光面１１を被覆するように配置した反射板，３は導光バー１の上記導光面１１と対向する下面にして照明光を出光する照明面に配置した光拡散板，４は上記反射板２の外側に配置し導光バー１の上記照明面を除く３面を覆うように該導光バー１を被嵌することによって導光バー１の反りを防止するとともに汚れを防止する断面コ字状にしてアルミ又は樹脂を押出成形して形成したカバーを示す。
【００２６】
以上のように構成したバー光源Ａは，多数のパワーＬＥＤ７による入射光を導光バー１の入射端面に供給することによりその長手方向に均一且つ高輝度に光輝し照明用としてその使用を行うことができる。このとき導光バー１を中実太軸とすることによって導光バー１内の入射光反射回数を可及的に増加可能として高輝度確保を行うとともにパワーＬＥＤ７を使用することによって高寿命を確保する一方，該放熱部材６によってパワーＬＥＤ７の発熱を放熱し，該発熱によってＬＥＤが損傷することを防止してその耐久性を確保したものとでき，店舗や住宅の室内，店舗の冷蔵ショーケース等適宜な場所で，熱陰極蛍光灯光源に代替する照明用途に広く使用することができる。
【００２７】
図示した例は以上のとおりとしたが，本発明の実施に当って導光バー，端部キャップ，放熱部材，パワーＬＥＤ，必要に応じて使用するパワーＬＥＤチップ等の各具体的形状，構造，材質，これらの関係，これらに対する付加等は，上記発明の要旨に反しない限り様々な形態のものとすることができる。
【図面の簡単な説明】
【００２８】
【図１】照明用バー光源の側面図である。
【図２】照明用バー光源の長手方向片側部分の分解斜視図である。
【符号の説明】
【００２９】
Ａ  バー光源
１  導光バー
１１  導光面
２  反射板
３  光拡散板
４  カバー
５  端部キャップ
５１  放熱孔
５２  基板スペース
５３  蓋部材
５４  支持具
６  放熱部材
６１  基板
６２  水平溝
６３  放熱フィン
６４  基板スペース
７  ＬＥＤチップ
７１  絶縁ベース
７２  放熱板
【図１】
2007109504.tif 000003
【図２】
2007109504.tif 000004